(57)【特許請求の範囲】
【請求項１】
開口の一側部に設けられ網体を巻取軸に巻取って収納する収納枠と、該収納枠から引き出した網体の先端に設けられた可動框と、該可動框の上下両端を左右方向に摺動自在に案内するガイド枠と、可動框を閉鎖位置に当接させる戸当り枠とを備え、前記網体の上下両縁部及び先端縁部には縁部材が設けられ、前記ガイド枠には上下両縁部の縁部材を摺動自在に支持する支持溝が一体形成され、前記可動框はその上下両端部に端部ピースを装着してなり、可動框及び端部ピースには網体の先端縁部の縁部材をくわえ込んでその長手方向に沿って摺動自在に保持するための保持溝が形成されていることを特徴とするロール網戸。
【発明の詳細な説明】
【技術分野】
【０００１】
本発明は、ロール網戸に係り、特にガイド枠の構造の簡素化を図ったロール網戸に関する。
【背景技術】
【０００２】
従来、この種のロール網戸は、開口の一側部に設けられ網体を巻取軸に巻取って収納する収納枠と、該収納枠から引き出した網体の先端に設けられた可動框と、該可動框の上下両端を左右方向に摺動自在に案内するガイド枠と、可動框を閉鎖位置に当接させる戸当り枠とを備えた構成になっている（例えば特許文献１参照）。
【０００３】
前記網体の上下両縁部には縁部材が設けられ、該縁部材を摺動自在に支持するために上下のガイド枠にはインナーレールが別体で取付けられていた。すなわち、網体の縁部材をくわえ込み且つ滑らかに摺動させる必要があることから、狭い開口（スリット）が必要であり、これまで、狭い開口を有するガイド枠をアルミ形材として押出成形することが難しいと考えられていたことから、アルミ形材製の上下のガイド枠に、樹脂形材製のインナーレールを取付けた２部材構造が採用されていた。
【０００４】
【特許文献１】特許第３６１７６４６号公報
【発明の開示】
【発明が解決しようとする課題】
【０００５】
しかしながら、前記ロール網戸においては、上下のガイド枠を２部材構造にしているため、ガイド枠の構造の煩雑化を余儀なくされると共に、資材費や加工費等が余分にかかり、コストの上昇を余儀なくされていた。
【０００６】
本発明は、上記事情を考慮してなされたものであり、ガイド枠の構造の簡素化及びコストの低減が図れるロール網戸を提供することを目的とする。
【課題を解決するための手段】
【０００７】
本発明は、開口の一側部に設けられ網体を巻取軸に巻取って収納する収納枠と、該収納枠から引き出した網体の先端に設けられた可動框と、該可動框の上下両端を左右方向に摺動自在に案内するガイド枠と、可動框を閉鎖位置に当接させる戸当り枠とを備え、前記網体の上下両縁部及び先端縁部には縁部材が設けられ、前記ガイド枠には上下両縁部の縁部材を摺動自在に支持する支持溝が一体形成され、前記可動框はその上下両端部に端部ピースを装着してなり、可動框及び端部ピースには網体の先端縁部の縁部材をくわえ込んでその長手方向に沿って摺動自在に保持するための保持溝が形成されていることを特徴とする。
【発明の効果】
【０００８】
本発明によれば、開口の一側部に設けられ網体を巻取軸に巻取って収納する収納枠と、該収納枠から引き出した網体の先端に設けられた可動框と、該可動框の上下両端を左右方向に摺動自在に案内するガイド枠と、可動框を閉鎖位置に当接させる戸当り枠とを備え、前記網体の上下両縁部及び先端縁部には縁部材が設けられ、前記ガイド枠には上下両縁部の縁部材を摺動自在に支持する支持溝が一体形成され、前記可動框はその上下両端部に端部ピースを装着してなり、可動框及び端部ピースには網体の先端縁部の縁部材をくわえ込んでその長手方向に沿って摺動自在に保持するための保持溝が形成されているため、網体の先端縁部を可動框及び端部ピースのそれぞれに挟み込んで固定する必要がなく、構造の簡素化及びコストの低減が図れる。
【発明を実施するための最良の形態】
【０００９】
以下に、本発明を実施するための最良の形態について、添付図面を基に詳述する。図１は本発明の実施の形態であるロール網戸の概略的構成を示す室内側正面図、図２は縦すべり出し窓サッシに適用したロール網戸の縦断面図、図３は同ロール網戸の横断面図である。
【００１０】
これらの図において、１はロール網戸で、このロール網戸１は、建物等の開口の一側部に設けられ網体２を巻取軸３に巻取って収納する収納枠４ａと、該収納枠４ａから引き出した網体２の先端に設けられた可動框５と、該可動框５の上下両端を左右方向に摺動自在に案内するガイド枠４ｂ，４ｃと、可動框５を閉鎖位置に当接させる戸当り枠４ｄとを備えている。
【００１１】
収納枠４ａ、ガイド枠４ｂ，４ｃ、戸当り枠４ｄ及び可動框５は、アルミ形材（アルミニウム合金の押出形材）からなっている。なお、図示例のロール網戸１は特殊窓の一つである縦すべり出し窓サッシ６の窓枠７の室内側に取付けられている。
【００１２】
この縦すべり出し窓サッシ６は、上枠７ａ、下枠７ｂ及び左右の縦枠７ｃ，７ｄからなる窓枠７と、該窓枠７内に開閉可能に設けられ室外に向ってすべり出しながら縦軸回りに回動して開放される障子８とを備えている。ロール網戸１の収納枠４ａが一方例えば左側の縦枠７ｃに取付けられ、戸当り枠４ｄが他方例えば右側の縦枠７ｄに取付けられている。
【００１３】
収納枠４ａの室外面の角部には断面Ｌ字状の取付フレーム９の一側片部が掛止され、該取付フレーム９の他側片部が固着具例えばネジ１０で左側縦枠の内面に取付けられている。戸当り枠４ｄには取付片１１が室外側に延出した状態に形成されており、該取付片１１が右側縦枠７ｄの内面にネジ１２で取付けられている。上枠７ａ、下枠７ｂ及び左右の縦枠７ｃ，７ｄの内面には、網戸枠の周囲を囲繞するように樹脂形材製の上補助枠１３ａ、下補助枠１３ｂ及び左右の縦補助枠１３ｃ，１３ｄが取付けられていることが好ましい。なお、これら補助枠１３ａ〜１３ｄはアルミ形材製であってもよい。
【００１４】
前記網体２は例えば樹脂製の縦糸と横糸を網状に織った網材からなる。網体２は左右方向（横方向）に長尺の帯状に形成されており、巻取軸３に巻取られている。この網体２の少なくとも上下両縁部及び先端縁部には補強と摺動支持可能のために縁部材１４ａ，１４ｂ，１４ｃ設けられている。縁部材としては、屈曲性も良い例えばバンクテープが好適である。縁部材は網体の厚さよりも数倍の厚さを有している。なお、網戸枠の形状によっては（例えば横方向よりも縦方向に長尺の網戸枠の場合）、網体が横方向よりも縦方向（上下方向）に長尺に形成されている場合もある。
【００１５】
前記収納枠４ａは、室内側と可動框側が開放された断面略Ｌ字状に形成されており、その開放部を一部（網体の出し入れ口１５）を残して覆うべく断面略Ｌ字状のカバー部材１６が収納枠４ａの室内側縁部を回動中心として開閉可能に配置されている。カバー部材１６はアルミ又は樹脂の形材からなっている。
【００１６】
図４にも示すように、収納枠４ａの上下両端には端部ピース１７ａ，１７ｂがそれぞれ１個の引っ掛け部１８と１本のネジ１９により着脱可能に取付けられている。上部の端部ピース１７ａには巻取軸３の上端を回転自在に支持する図示しない支持部が形成されている。巻取軸３の内部には巻取り付勢用のバネが設けられると共に該バネのバネ力を調節するための巻き軸が設けられ（図示省略）、下部の端部ピース１７ｂには該巻き軸を係合させるための係合部２０を有する歯車式バネ調節部２１が設けられている（図５参照）。なお、収納枠が室内側から見て右側にくる仕様の場合、歯車式バネ調節部は上部の端部ピースに設けられる。この歯車式バネ調節部２１は、前記カバー部材１６を開き、歯車２２のストッパー２３を左右に１往復することで歯車が１山戻ってバネ力が弱まり、歯車２２の軸に形成されたマイナス溝２４にマイナスドライバーの先端を差し込んで時計方向に回すことによってバネ力が強まるという具合にバネ力を任意に調節できるようになっている。
【００１７】
収納枠４ａには端部ピース１７ａ，１７ｂを固定するためのネジ１９をねじ込むための一本ないし１ヶ所のタッピングホール２５と、前記引っ掛け部１８の爪１８ａを内側から引っ掛けるための孔部（例えば角孔）２６が形成されている。端部ピース１７ａ，１７ｂには、ネジ１９を挿入するための孔部２７と、引っ掛け部１８とが略対角に設けられている。また、端部ピース１７ａ，１７ｂの室内側角部には前記カバー部材１６の一側部（基部）に形成された断面略Ｃ字状の軸受部２８の両端を嵌合させて回動可能に支持するための支軸部２９が上下で相対向するように突出形成されている。
【００１８】
端部ピース１７ａ，１７ｂには、ガイド枠４ｂ，４ｃの一端を接合する手段として、ガイド枠４ｂ，４ｃの内部空間（中空部）４ｆに挿入嵌合される嵌合片部１７ｃと、ガイド枠１７ｂ，１７ｃの外面に当接されてネジ３０で固定される接合片部１７ｄとが突出形成されている。端部ピース１７ａ，１７ｂの接合片部１７ｄにはネジ３０の取付孔１７ｅが形成されている。なお、図９に示すように戸当り枠４ｄの上下両端にも端部ピース３１ａ，３１ｂが嵌合装着され、該端部ピース３１ａ，３１ｂにはガイド枠４ｂ，４ｃの外面に当接されてネジ３２で固定される接合片部３１ｄとが突出形成されている。なお、戸当り枠４ｄは断面略Ｃ字状に形成されており、その室内面の内角部には閉鎖時の可動框５との間の隙間を室内側から覆うための覆い片部４ｇがリブ状に形成されている。
【００１９】
前記可動框５は、図８にも示すように、剛性を高めるべく中空（ホロー）構造とされており、その上下両端には端部ピース３３ａ，３３ｂが嵌合により装着されている。各端部ピース３３ａ，３３ｂは１部品からなり、端部ピース３３ａ，３３ｂには可動框５の両端の中空部５ｆに挿入嵌合（圧入）される嵌挿部３３ｃが突出形成されている。可動框５及び端部ピース３３ａ，３３ｂには、網体２の先端の縁部材１４ｃをくわえ込んでその長手方向に沿って摺動自在に保持するための断面略Ｃ字状の保持溝５ｄ，３３ｄが形成されている。なお、端部ピース３３ａ，３３ｂは、網体２を挟み込んで固定する構造ではないため、網体２が可動框５の長手方向に移動可能であるが、網体２の上縁部１４ａと下縁部１４ｂが上下のガイド枠４ｂ、４ｃの支持溝３４,３４に支持されているので網体２が離脱する問題はない。
【００２０】
可動框５の室内面にはその長手方向に沿って把手５ｇがリブ状に形成されている。端部ピース３３ａ，３３ｂには把手５ｇの端部に当接されてこれを覆う保護カバー部３３ｇが突出形成されている。上下のガイド枠４ｂ，４ｃの対向部には対向部側が開放された断面略Ｃ字状のガイド溝３５，３５が長手方向に沿って形成されており、端部ピース３３ａ，３３ｂには該ガイド溝３５，３５に摺動自在に嵌合（係合）する被ガイド部である摺動部（スライダー）３３ｓ，３３ｓが形成されている。なお、前記端部ピース１７ａ,１７ｂ,３１ａ,３１ｂ,３３ａ，３３ｂは、合成樹脂により形成されていることが好ましい。
【００２１】
前記ガイド枠４ｂ，４ｃには、図６ないし図１０に示すように網体２の上下の縁部材１４ａ，１４ｂを摺動自在に支持する支持溝３４，３４が一体形成されている。また、ガイド枠４ｂ，４ｃは、中空部４ｆを有するホロー構造とされていることが好ましい。上下のガイド枠４ｂ，４ｃは、同一断面形状の形材からなる。例えば下部のガイド枠４ｃは、図６に示すように左右に配した室外面板４ｘと室内面板４ｙの間に内側面板４ｍと外側面板４ｎを上下に配してなる。内側面板４ｍよりも上方に立ち上がった室外面板４ｘと室内面板４ｙの上縁部は相対向して接近すべく断面Ｌ字状に形成されており、これにより内側面板４ｍよりも上方にガイド溝３５が形成されている。
【００２２】
内側面板４ｍの中央には断面略Ｕ字状で開口（スリット）３４ａが１．５ｍｍ程度と狭い支持溝３４が押出成形によりガイド枠４ｃと一体に形成されている。この開口３４ａの幅を従来（インナーレールの場合、１ｍｍ程度）よりも若干広くすることにより、支持溝３４を含む一体型のガイド枠４ｃのアルミ押出成形を可能としている。支持溝３４の開口３４ａは内側面板４ｍよりも上方であってガイド枠４ｃの上面よりも下方、すなわち内側面板４ｍとガイド枠４ｃの上面との略中間高さ位置に形成されていることが好ましい。可動框５の端部ピース３３ａ，３３ｂの摺動部３３ｓには、支持溝３４との干渉を避けるための凹部３３ｅが形成されている。これによりガイド枠の上面からの網体の飲み込み長さを短くしている。なお、ガイド枠４ｃとしては、図１１に示すように支持溝３４の底部が中空部４ｆ側に開口連通されていてもよいが、強度的には図１０に示すガイド枠４ｃの方が好ましい。
【００２３】
巻取軸３から引き出される網体２が前記支持溝３４の長手方向一端の開口（スリット）３４ａから進入する際に引っ掛かるのを抑制ないし防止するために、図５に示すように前記収納枠４ａの端部ピース１７ａ，１７ｂには、網体導入ガイド部３６が一体に設けられている。この網体導入ガイド部３６は、ガイド枠４ｃの端面と同じ外形に形成され、ガイド枠４ｃの端面が当接されるようになっている。網体導入ガイド部３６にも支持溝３４と対応する導入溝部３７が形成され、その開口（スリット）３７ａの幅は支持溝３４の開口（スリット）３４ａの幅よりも狭く例えば１ｍｍ程度に設定されている。また、開口３７ａの入口側には網体２が入りやすいようにアール加工３８又は面取り加工が施されていることが好ましい。
【００２４】
可動框５を戸当り枠４ｄに当接させた閉鎖位置に保持する手段として、図３ないし図９に示すように、前記可動框５及び戸当り枠４ｄのいずれか一方例えば戸当り枠４ｄには磁石４０が設けられ、他方例えば可動框５には該磁石４０に吸着される磁石受け４１が設けられている。磁石４０はフランジ４２ａを有する磁石ケース４２内に嵌め込まれ、該磁石ケース４２が戸当り枠４ｄの内面に形成した取付穴４３に内側から嵌め込まれている。磁石ケース４２には引き抜けを防止するために取付穴４３の裏面に掛止される図示しない掛止爪が設けられている。
【００２５】
そして、磁石４０の吸着力ないし磁石４０による可動框５の吸着保持力を調整するために、磁石４０及び磁石受け４１の何れか一方を吸着面積を可変すべく移動調節可能に設けている。すなわち、磁性金属板からなる長方形板状の磁石受け４１には、図７にも示すように、これをネジ４４で取付けるための取付孔４５が形成されているが、該取付孔４５が上下方向に長い長穴に形成されている。長穴状の取付孔４５にネジ４４を通し、該ネジ４４を可動框５にねじ込むことにより磁石受け４１が可動框５の外側面に取付固定されており、ネジ４４を緩めて磁石受け４１を上下に移動調節することにより磁石４０と磁石受け４１間の吸着面積を増減し、吸着力（吸着保持力）を調節し得るようになっている。なお、可動框５の外側面には磁石受け４１を上下方向に移動可能に収容する浅い凹溝４６が形成されていることが好ましい。
【００２６】
以上の構成からなるロール網戸１によれば、開口の一側部に設けられ網体２を巻取軸３に巻取って収納する収納枠４ａと、該収納枠４ａから引き出した網体２の先端に設けられた可動框５と、該可動框５の上下両端を左右方向に摺動自在に案内するガイド枠４ｂ，４ｃと、可動框５を閉鎖位置に当接させる戸当り枠４ｄとを備え、前記網体２の上下両縁部には縁部材１４ａ，１４ｂが設けられ、前記ガイド枠４ｂ，４ｃには該縁部材１４ａ，１４ｂを摺動自在に支持する支持溝３４，３４が一体形成されているため、従来では二部材構造であったガイド枠の構造の簡素化及びコストの低減が図れる。
【００２７】
また、従来では収納枠４ａに端部ピースを固定するのに収納枠４ａにタッピングホールを３ヶ所設け、端部ピースを３箇所ネジ止めしていたので、ねじ止め工数が多くかかっていたが、前記実施例のように引っ掛け１箇所とネジ止め１箇所とすることにより、ねじ止め工数を削減できる。また、従来では可動框５の端部ピースが２部品とされ、一方の部品を可動框の端部にねじ止めした後、該一方の部品にもう一方の部品をねじ止めし、両部品間で網体先端部の上下両端を固定しており構造の煩雑化を招いていたが、前記実施例のように可動框５を中空構造とし、端部ピース３３ａ，３３ｂをそれぞれ１部品化して中空部５ｆに嵌合により取付けるようにしたので、可動框５の剛性の向上、端部ピース３３ａ，３３ｂの構造の簡素化、組立工数の削減及びコストの削減が図れる。しかも、端部ピース３３ａ，３３ｂに網体２の先端縁部材１４ｃを保持する保持溝３３ｄを形成してあるため、網体２が端部ピース３３ａ，３３ｂから外れることはない。
【００２８】
更に、前記可動框５を戸当り枠４ｄに当接させた網戸閉鎖位置に固定するために、戸当り枠４ｄに磁石４０を、可動框５に磁石受け４１を設け、磁石受け４１を吸着面積を可変すべく移動調節可能に設けているため、網戸を閉鎖位置に固定する磁石４０の吸着力を任意に調節することが可能となり、操作性の向上が図れる。この場合、磁石受け４１の取付孔４５を長穴にしてあるため、簡単な構造で磁石４０の吸着力を調整することが可能となり、コストの低減が図れる。
【００２９】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、ロール網戸が取付けられる窓ないし窓サッシとしては、横すべり出し窓等であってもよい。また、ロール網戸は窓枠にではなく、開口に直接取付けられていてもよい。
【図面の簡単な説明】
【００３０】
【図１】本発明の実施の形態であるロール網戸の概略的構成を示す室内側正面図である。
【図２】縦すべり出し窓サッシに適用したロール網戸の縦断面図である。
【図３】同ロール網戸の横断面図である。
【図４】収納枠の端部ピースの取付構造を説明する図で、（ａ）は上下の端部ピースの斜視図、（ｂ）は分解斜視図、（ｃ）は上レールを接合する際の斜視図、（ｄ）は上レールの固定する際の斜視図である。
【図５】下レールと端部ピースの接合状態を示す斜視図である。
【図６】可動框の下部の構造を示す図である。
【図７】同可動框の斜視図である。
【図８】可動框の端部ピースの取付構造を説明する図で、（ａ）は端部ピースの斜視図、（ｂ）は分解斜視図、（ｃ）は網体を取付ける際の斜視図、（ｄ）は端部ピースの内側端面図である。
【図９】網戸を閉状態に保持する構造を説明する図で、（ａ）は磁石受け側の斜視図、（ｂ）は磁石側の斜視図である。
【図１０】下レールの一例を示す横面図である。
【図１１】下レールの他の例を示す横断面図である。
【符号の説明】
【００３１】
１  ロール網戸
２  網体
３  巻取軸
４ａ  収納枠
４ｂ，４ｃ  ガイド枠
４ｄ  戸当り枠
５  可動框
１４ａ，１４ｂ  縁部材
３４  支持溝
【図１】
0004823600.tif 000002
【図２】
0004823600.tif 000003
【図３】
0004823600.tif 000004
【図４】
0004823600.tif 000005
【図５】
0004823600.tif 000006
【図６】
0004823600.tif 000007
【図７】
0004823600.tif 000008
【図８】
0004823600.tif 000009
【図９】
0004823600.tif 000010
【図１０】
0004823600.tif 000011
【図１１】
0004823600.tif 000012